(57)【要約】【課題】硫化物を吸収した吸収液を循環利用する脱硫設備において、外部の空気や曝気用空気を混入させず、かつ、消化ガスの漏減なしに１台の循環ポンプで吸収液を循環させ、設備の高層化を回避すること。【解決手段】気液接触塔２と吸収液槽としての気液接触塔３との間を、液供給路４１および返送路４２で接続し、硫化物を吸収したガス吸収液を送液ポンプ４５で生物酸化槽３の曝気室３３に還流させる。生物酸化槽３は、曝気室３３から溢出した吸収液が導入される吸収液供給室３１を備える。吸収液供給室３１内の吸収液の液面３１Ｆは、気液接触塔３内に設けられたスプレーノズル２２の取り付け高さより高く、吸収液はそれ自身の位置エネルギーにより液供給路４１を移動して気液接触塔３内に散水される。【選択図】図１
2007253046.tif 000002
【特許請求の範囲】
【請求項１】
硫化物含有ガスが導入される吸収室および該硫化物含有ガスを吸収する吸収液を該吸収室内に散水する散水手段を備える気液接触塔と、該吸収液を保持する吸収液槽と、該気液接触塔と該吸収液槽とをそれぞれ接続する液供給路および返送路を備える循環手段と、を含む硫化物含有ガスの脱硫設備であって、
前記吸収液槽は、前記返送路の一端が接続され前記硫化物含有ガスを吸収したガス吸収液が導入される返送液室と、前記液供給路の一端が接続され該返送液室から溢流させた吸収液が導入される吸収液供給室と、該返送液室と該吸収液供給室とを区分する隔壁と、を備え、
前記吸収液供給室内の吸収液が持つ位置エネルギーによって該吸収液が前記気液接触塔内へ導入される硫化物含有ガスの脱硫設備。
【請求項２】
前記吸収液槽は、前記返送液室として、散気手段を備え硫化物酸化菌を保持する曝気室を備える請求項１に記載の硫化物含有ガスの脱硫設備。
【請求項３】
前記吸収液供給室内の吸収液を送り出す位置エネルギーが前記気液接触塔の背圧および前記液供給路の圧力損失を上回るように、前記吸収液供給室の外壁上端高さが、前記散水手段の取付位置より高くなるように設定されている請求項１または２に記載の硫化物含有ガスの脱硫設備。
【請求項４】
前記吸収液供給室から前記吸収液を取り出す吸収液取出口は、前記散水手段より低い位置に配置されている請求項１から３のいずれかに記載の硫化物含有ガスの脱硫設備。
【請求項５】
前記循環手段は、唯一の送液ポンプをさらに含み、
前記送液ポンプは、前記返送路の途中に設けられる請求項１から４のいずれかに記載の硫化物含有ガスの脱硫設備。
【請求項６】
前記循環手段は、逆止弁をさらに含み、
前記逆止弁は、前記返送路の途中であって前記送液ポンプの吐出側に設けられる請求項５に記載の硫化物含有ガスの脱硫設備。
【請求項７】
前記循環手段は、流量制御弁をさらに含み、
前記流量制御弁は、前記液供給路の途中に設けられる請求項１から６のいずれかに記載の硫化物含有ガスの脱硫設備。
【発明の詳細な説明】
【技術分野】
【０００１】
本発明は、有機物をメタン発酵する際等に発生する消化ガス等の硫化物含有ガスの脱硫設備に関し、特に、硫化物含有ガスの吸収液を曝気処理して循環利用する生物脱硫設備に関する。
【背景技術】
【０００２】
生物汚泥等の有機性廃棄物を処理方法の一つとして、メタンガスを含む消化ガスを生成させる嫌気性消化が行なわれている。有機物の嫌気性消化過程では、硫化水素等の硫化物、アンモニアおよび有機酸等の悪臭成分が生成される。例えば消化ガスには、エネルギーとして利用可能なメタンガス以外に、硫化水素、メチルメルカプタン、および硫化メチル等が含まれる。こうした硫化物は、ボイラー等を腐食させたり大気汚染を引き起こしたりするため、従来、消化ガス中の硫化物を除去する種々の脱硫処理が行われている。
【０００３】
消化ガスの脱硫処理としては、例えば水による洗浄、アルカリによる薬品洗浄等もあるが、これらの処理方法では洗浄廃液の処理が必要となる。一方、消化ガスを吸収させた吸収処理廃液（ガス吸収液）を曝気することにより、硫化物を生物的に分解させる生物脱硫法では、廃液処理の問題を回避できる。このため近年、生物脱硫法は急速に普及し、様々な改良がなされている。
【０００４】
例えば特許文献１には、有機性廃水が好気的に生物処理されて得られる処理液に消化ガス中の硫化物を吸収させる脱硫方法が開示されている。特許文献１に開示された方法では、吸収液としての生物処理液を満たした吸収塔の下部から消化ガスを吹き込み、消化ガスを吸収したガス吸収液を吸収塔の上部から抜き出して生物処理槽（曝気槽）に返送する。このため、特許文献１の脱硫設備では、１台の送液ポンプによって曝気槽と吸収塔との間で吸収液およびガス吸収液を循環させることができる。
【０００５】
また、曝気槽の上に気液接触塔を設置し、曝気槽と気液接触塔とを送液路で接続した脱硫設備も提案されている。かかる脱硫設備では、送液路の途中に設けたポンプで気液接触塔上部まで生物処理液を送って生物処理液を気液接触塔内に散水し、気液接触塔下部から供給する消化ガスと接触させる。この脱硫設備では、気液接触塔が曝気槽の上に配置されていることから、ガス吸収液を曝気槽へ移送するためのポンプは必要なく、１台の送液ポンプにより曝気槽と気液接触塔との間で液体を循環させることができる。
【０００６】
さらに、気液接触塔と曝気槽とを水平方向に並べて２系統の送液路で接続し、それぞれの送液路に送液ポンプを設けて気液接触塔と曝気槽との間で液体を循環させる構成とした脱硫設備も提案されている（特許文献２および特許文献３）。かかる設備では、気液接触塔と曝気槽とを垂直に積み上げないため、脱硫設備の高層化を回避できる。また、吸収液を気液接触塔上部から散水して消化ガスと接触させるため、消化ガスを昇圧して吹き込む必要もない。
【特許文献１】特許第３４１３８５６号公報
【特許文献２】特許第３２３５１３１号公報（※特開平５−６８８４９の特許公報）
【特許文献３】特開２００３−６２４２１号公報
【発明の開示】
【発明が解決しようとする課題】
【０００７】
特許文献１に開示された脱硫設備では、消化ガスを吸収液の中に供給するが、消化ガスの供給圧力が低いとガスを吸収液中に吹き込むことができなかったり、吹き込めた場合でも微細気泡化せずに気液接触効率が低くなったりする場合がある。このため、消化ガスの供給路に昇圧用のブロアを設置する必要がある。
【０００８】
一方、曝気槽の上に気液接触塔を設置すれば消化ガスの昇圧用ブロアは必要ないが、脱硫設備の高さが高くなる。脱硫設備の高層化を避けるために気液接触塔の高さを抑制すると気液接触塔での気液接触時間が短くなり、脱硫効果が低下する。また、曝気槽を低背化すると曝気水深が浅くなり酸素の溶解効率が悪くなるとともに、消化ガスが曝気槽側へ流出する懸念がある。
【０００９】
特許文献２および３に開示された脱硫設備では、設備の高層化を回避し、消化ガスの吹き込み用のブロアも必要としないが、少なくとも２台の送液ポンプを必要とする。
【００１０】
このように、従来の脱硫設備では、気液接触塔上部から吸収液を散水して消化ガスを脱硫する場合に、脱硫設備を高層化させることなく、送液ポンプの設置台数を１台とすることはできなかった。本発明はかかる課題を同時に解決することを目的とする。
【課題を解決するための手段】
【００１１】
本発明では、曝気槽から気液接触塔に吸収液を送るための吸収液供給室を曝気槽に設け、この吸収液供給室内の吸収液が有する位置エネルギー（ポテンシャルエネルギー）を利用することにより、上記課題を解決する。より具体的には、本発明は以下を提供する。
【００１２】
（１）硫化物含有ガスが導入される吸収室および該硫化物含有ガスを吸収する吸収液を該吸収室内に散水する散水手段を備える気液接触塔と、該吸収液を保持する吸収液槽と、該気液接触塔と該吸収液槽とをそれぞれ接続する液供給路および返送路を備える循環手段と、を含む硫化物含有ガスの脱硫設備であって、前記吸収液槽は、前記返送路の一端が接続され前記硫化物含有ガスを吸収したガス吸収液が導入される返送液室と、前記液供給路の一端が接続され該返送液室から溢流させた吸収液が導入される吸収液供給室と、該返送液室と該吸収液供給室とを区分する隔壁と、を備え、前記吸収液供給室内の吸収液が持つ位置エネルギーによって該吸収液が前記気液接触塔内へ導入される硫化物含有ガスの脱硫設備。
（２）前記吸収液槽は、前記返送液室として、散気手段を備え硫化物酸化菌を保持する曝気室を備える（１）に記載の硫化物含有ガスの脱硫設備。
（３）前記吸収液供給室内の吸収液を送り出す位置エネルギーが前記気液接触塔の背圧および前記液供給路の圧力損失を上回るように、前記吸収液供給室の外壁上端高さが、前記散水手段の取付位置より高くなるように設定されている（１）または（２）に記載の硫化物含有ガスの脱硫設備。
（４）前記吸収液供給室から前記吸収液を取り出す吸収液取出口は、前記散水手段より低い位置に配置されている（１）から（３）のいずれかに記載の硫化物含有ガスの脱硫設備。
（５）前記循環手段は、唯一の送液ポンプをさらに含み、前記送液ポンプは、前記返送路の途中に設けられる（１）から（４）のいずれかに記載の硫化物含有ガスの脱硫設備。
前記循環手段は、逆止弁をさらに含み、
（６）前記逆止弁は、前記返送路の途中であって前記送液ポンプの吐出側に設けられる（５）に記載の硫化物含有ガスの脱硫設備。
前記循環手段は、流量制御弁をさらに含み、
（７）前記流量制御弁は、前記液供給路の途中に設けられる（１）から（６）のいずれかに記載の硫化物含有ガスの脱硫設備。
【００１３】
本発明では、吸収液供給室内の吸収液が、それ自身の位置エネルギーで自然流下して気液接触塔内に散水されるように、吸収液供給室内の吸収液の液面を気液接触塔内の散水手段の取り付け高さより上に位置させる。具体的には、吸収液供給室から吸収液が散水手段の液出口に向かって移動する力が、気液接触塔の処理ガスによる背圧および吸収液供給室から散水手段出口までの配管の圧力損失より大きくなるように、吸収液供給室の外壁高さを設定する。
【００１４】
より具体的には、吸収液供給室の外壁高さを散水手段の液出口より３００ｍｍ以上、特に５００〜１０００ｍｍ以上高くすることにより、吸収液供給室の液面高さを散水手段の液出口より３００ｍｍ以上高くするとよい。一方で、吸収液供給室から吸収液を取り出すための吸収液取出口は、散水手段の液出口より下に位置させることが好ましい。
【００１５】
また、循環手段を介して循環される吸収液は、硫化物を吸収したガス吸収液が返送される吸収液槽（曝気槽）の返送液室から吸収液供給室へ溢流させるよう、返送液室と吸収液供給室とを画する隔壁高さは、吸収液供給室の外壁および返送液室外壁より低くするとよい。返送液室外壁と吸収液供給室の外壁とは、同一の高さでもよく返送液室外壁が吸収液供給室外壁より高くてもよい。
【発明の効果】
【００１６】
本発明によれば、吸収液槽に、気液接触塔内に散水する吸収液を収容する吸収液供給室を設け、この吸収液供給室内の吸収液液面高さを所定の高さにすることで、吸収液を気液接触塔内に自然流下させることができる。このため、気液接触塔と吸収液槽との間で吸収液を循環させるためのポンプの設置台数を削減できる。
【発明を実施するための最良の形態】
【００１７】
以下、図面を参照して本発明について詳細に説明する。図１は、本発明の一実施形態に係る硫化物含有ガスの脱硫設備１の模式図である。脱硫設備１は、気液接触塔２、吸収液槽としての生物酸化槽３、および気液接触塔２と生物酸化槽３との間で液を循環させる循環手段４を含む。図１において、気液接触塔２および生物酸化槽３は、内部構成を示すために垂直方向での断面模式図で表している。
【００１８】
気液接触塔２は、密閉可能な容器で構成され、内部に形成され垂直方向に長い吸収室２１と、吸収室２１上方に配置された散水手段としてのスプレーノズル２２と、吸収室２１に充填された充填材２３と、吸収室２１の下方に設けられた液受槽２４と、を備える。気液接触塔２の壁面には、吸収室２１下部に連通するガス入口２５と、スプレーノズル２２の上方に位置するガス出口２６とが形成されている。
【００１９】
本実施形態において、気液接触塔２は散水手段としてのスプレーノズル２２を備えるスプレー塔としているが、塔上部から散布される液体が塔下部から供給されるガスと接触できる装置であればこれに限定されない。例えば、気液接触塔２は、散水板、またはシャワーノズル等の他の散水手段を備えるスクラバー、または充填塔等であってよい。
【００２０】
充填材２３は、気液接触効率を上げるために充填され、吸収室２１の５０〜１００％の高さとなるように充填することが好ましいが、省略してもよい。充填材２３の材質、形状、大きさは特に限定されず、多孔性焼結物、合成樹脂、コークス、およびスポンジ等の筒状または粒状物を使用できる。特に、目詰まりを防止する観点からは外寸１０〜５０ｍｍ程度の筒状体を好適に使用できる。図１は、プラスチック製の略円筒形の充填材２３を充填している状態を示しているが、吸収室２１内の充填材２３は一部しか図示していない。
【００２１】
この例では、後述する送液ポンプ４５の吸入側に生物酸化槽３内の吸収液を送る洗浄液路２７が設けられている。具体的には、洗浄液路２７は一端が後述する返送路４２の送液ポンプ４５の吸入側に、他端が送液ポンプ４５の吐出側に接続されている。かかる構成により、充填材２３が目詰まりした場合や定期点検を行う場合等、洗浄液路２７の弁２７Ｖを開いて吸収液を気液接触塔２に送り、気液接触塔２内に吸収液を充填して満水洗浄できる。また、液受槽２４にはブロア（図示せず）が接続された散気手段２４Ｓが設けられている。このため、気液接触塔２内を満水洗浄する際、充填材２３を吸収液に浸漬させた状態で空気等を吹き込み、充填材２３ごと気液接触塔２内を曝気攪拌して洗浄できる。また、生物酸化槽３内の吸収液を送液ポンプ４５の吸入側に送る連絡配管（図示せず）を経て送液ポンプ４５の吐出側と液受槽２４とを接続する配管（図示せず）により気液接触塔２内を満水させて上記と同様に洗浄することもできる。
【００２２】
生物酸化槽３は、上面が開放された水槽で構成され、水槽の内部は底部に散気手段としての散気管３５を備える曝気室３３になっている。散気管３５にはブロア３５Ｂが接続されており、空気等の酸素含有気体が曝気室３３内の液に供給される。水槽には、隔壁３２を介して曝気室３３と隔絶され外側に突出する吸収液供給室３１が形成されている。
【００２３】
循環手段４は、液供給路４１、返送路４２、流量制御弁４３、流量計４４、送液ポンプ４５、および逆止弁４６を備える。液供給路４１と返送路４２はどちらも気液接触塔２と生物酸化槽３とを接続している。具体的には、液供給路４１は一端（先端）がスプレーノズル２２に接続され、他端（基端）は吸収液供給室３１で開口して吸収液取出口３７を形成している。返送路４２は、一端（先端）が曝気室３３に接続され、他端（基端）は気液接触塔２の液受槽２４に接続されている。流量制御弁４３および流量計４４は液供給路４１の途中に設けられ、送液ポンプ４５と逆止弁４６とは返送路４２の途中に設けられている。
【００２４】
脱硫設備１では、吸収液供給室３１内の吸収液が位置エネルギーにより吸収液供給室３１から自然流出してスプレーノズル２２から吸収室２１内に散水されるよう、生物酸化槽３の側壁上端がスプレーノズル２２の取付位置より高くなるように構成されている。具体的には、吸収液供給室３１から流出する吸収液が持つ位置エネルギーが、処理ガスの背圧（気液接触塔２のガス出口２６から図示しないガスホルダーまでの圧力）と液供給路４１で生じる圧力損失より大きくなるように吸収液供給室３１の外壁高さが設定されている。
【００２５】
すなわち、気液接触塔２には被処理ガスがガス入口２５から供給され、脱硫された処理ガスがガス出口２６から取り出される。このときの処理ガス背圧が吸収室２１から液供給路４１方向に働く。このため、吸収液を生物酸化槽３から気液接触塔２に送液ポンプを用いることなく移動させるためには、吸収液の位置エネルギーが処理ガスの背圧を上回る必要がある。また、吸収液が液供給路４１を移動する際、配管の圧力損失により吸収液を生物酸化槽３から気液接触塔２方向へ移動させる圧力は低下するため、吸収液の位置エネルギーは処理ガスの背圧と配管の圧力損失を超える必要がある。
【００２６】
脱硫設備１では、吸収液供給室３１の内の吸収液にかかる大きさの位置エネルギーを持たせるため、吸収液供給室３１の液面３１Ｆ高さと、スプレーノズル２２の取付高さとの高低差Ｈ１は、処理ガス背圧と液供給路４１の圧力損失とを上回る水圧が吸収液取出口３７の吸収液にかかる距離に設定される。かかる距離は処理ガス背圧、および液供給路４１の長さや配管径等により異なるが、概ね３００ｍｍ以上、特に５００〜１０００ｍｍである。そこで、吸収液供給室３１の外壁３１Ｗは、その上端からスプレーノズル２２の液出口がある取付高さまでの距離Ｈ２が３００ｍｍ以上、特に５００〜１０００ｍｍ程度となるように設定される。
【００２７】
吸収液取出口３７は吸収液供給室３１の液面３１Ｆより低い位置に開口すればよいが、スプレーノズル２２の取付高さより３００ｍｍ以上、特に５００〜１０００ｍｍ程度低い位置に配置することが好ましい。吸収液取出口３７をスプレーノズル２２の取付高さより低い位置に設けることにより、送液ポンプ４５や生物酸化槽３の曝気を停止した場合でも、気液接触塔２からの気体の逆流を防止できる。
【００２８】
次に、上記脱硫設備１を用いて有機性汚泥等の有機物を嫌気消化して生じる消化ガスを脱硫する場合を例として、脱硫設備１についてさらに詳しく説明する。まず、脱硫設備１の被処理ガスとして、メタン発酵槽（図示せず）等から取り出された消化ガスがガス入口２５から気液接触塔２に導入される。ガス入口２５は吸収室２１の下部に形成されており、ガス入口２５から導入された消化ガスは気液接触塔２の吸収室２１内を上昇する。
【００２９】
気液接触塔２への消化ガスの通ガス条件は、通常空間速度（ＳＶ）１００〜８００ｈｒ−１、特に１５０〜４００ｈ−１とすることが好ましい。かかる範囲であれば、気液接触塔２を長大にすることなく十分な脱硫効果を得ることができ、吸収液を自然流入させるために生物酸化槽３の上端位置を過度に高くしなくてもよい。また、吸収液の通液条件は、通常滞留時間（ＨＲＴ）１〜１０分、特に１．５〜３分間とすることが好ましい。かかる範囲であれば硫化物を良好に吸収し、かつ、生物酸化槽３の上端位置を過度に高くすることなく吸収液を気液接触塔２内に散水できる。
【００３０】
消化ガスは、充填材２３の間を通って吸収室２１内を上昇する過程で、スプレーノズル２２から散水された吸収液と対向接触することにより脱硫される。脱硫された消化ガスは、処理ガスとしてガス出口２６から気液接触塔２外へ取り出され、ガスホルダ（図示せず）等に貯留され、発電用エネルギー等として使用される。
【００３１】
スプレーノズル２２から散水された吸収液は、消化ガスの移動方向とは逆に気液接触塔２の上方から下方へ移動し、液受槽２４に入る。硫化物を吸収して液受槽２４に流下した吸収液は、ガス吸収液として返送路４２から生物酸化槽３に返送する。
【００３２】
生物酸化槽３では、空気等の酸素含有気体を散気管３５から吹き込むことにより、曝気室３３に保持される汚泥に含まれる硫黄酸化菌等の働きによって硫化物を酸化する。かかる曝気処理により、ガス吸収液に含まれる硫化水素等の悪臭成分が除去され、ガス吸収液は再生される。
【００３３】
本実施形態では、返送路４２に設けられた送液ポンプ４５によりガス吸収液が生物酸化槽３の曝気室３３に還流されることにより、吸収液は脱硫設備１系内を循環して利用される。ガス吸収液が吸収した硫化水素の濃度によっては、曝気室３３での処理により液のｐＨが低下する場合があるため、この場合は水酸化ナトリウム等のアルカリを添加することにより、吸収液のｐＨを７〜９に維持してもよい。また、曝気室３３での生物処理により増殖した汚泥は溢流により排出させたり、適宜、引き抜いてもよい。
【００３４】
本実施形態では、ガス吸収液が生物酸化槽３に戻されることにより曝気室３３から溢流する液は、隔壁３２上端縁を溢流して吸収液供給室３１に流入する構成としている。すなわち、曝気室３３の外壁高さは隔壁３２上端より高く設定され、曝気室３３内の液は隔壁３２を溢流して吸収液供給室３１に流入する。そして、吸収液供給室３１および曝気室３３内の液の液面高さは、隔壁３２の上端高さとほぼ同一となっている。
【００３５】
なお本例では、吸収液は汚泥を含んだ状態で隔壁３２を溢流している。しかし、吸収液として汚泥を含まない液を用いてもよい。隔壁３２の上部をスクリーンのような固液分離面を持つ部材で構成すれば、曝気室３３内の汚泥を含んだ液（混合液）を固液分離した清澄な液（処理液）を吸収液として吸収液供給室３１に流入させることができる。処理液は目詰まりを起こしがたいという長所を有する一方、混合液は硫黄酸化菌を含み硫化物の吸収性がよいという長所を有する。
【００３６】
吸収液供給室３１は、上述したとおり室内の吸収液の液面３１Ｆ高さがスプレーノズル２２より高くなるように設けられた外壁で囲われるとともに、スプレーノズル２２より低い位置に開口する吸収液取出口３７を有している。このため、吸収液の位置エネルギーにより吸収液取出口３７近傍の吸収液が吸収液供給室３１から液供給路４１へと押し出される。本実施形態では、吸収液供給室３１上端および吸収液取出口３７の高さは、スプレーノズル２２より３００ｍｍ以上高く、吸収液供給室３１から吸収液を押し出す力は処理ガスの背圧および液供給路４１圧力損失に勝る。したがって、液供給路４１に送液ポンプを設置することなく、吸収液供給室３１の吸収液は液供給路４１を気液接触塔２の方向へ移動してスプレーノズル２２から吸収室２１内に散水される。
【００３７】
本実施形態では液供給路４１には流量計４４と流量制御弁４３とが設けられている。このため、流量制御弁４３の開放度を調整することにより、吸収液の供給量を調整し、機液接触塔内での脱硫処理を安定化させることができる。なお、流量計４４および流量制御弁４３は液供給路４１に設ける代わりに返送路４２に設けてもよい。
【００３８】
このように、本実施形態では気液接触塔２と生物酸化槽３とを積み上げることなく水平に並べた上、１台の送液ポンプ４５で気液接触塔２と生物酸化槽３との間で吸収液を循環させ、気液接触塔２から吸収液を散水して上昇する消化ガスと向流接触させることができる。このため、脱硫設備１の高層化を回避し、被処理ガスの昇圧用ブロアを不要とし、吸収液循環用の送液ポンプ設置台数を削減できる。
【００３９】
なお、上記脱硫設備１のより具体的な設計例は、以下に記載するとおりであるが、本発明はかかる実施形態に限定されない。以下の設計例において、気液接触塔２と生物酸化槽３とは同一高さの平面（地面Ｇ）にそれぞれの底面が接するようにして配置されるものとする。また、この設計例では、曝気室の外壁上端と吸収液供給室外壁上端とは同じ高さに設定され、地面Ｇから生物酸化槽３の曝気室３３外壁上端までの高さはＴ４と同じであるため、以下では記載を省略する。
【００４０】
［設計例］
吸収室の垂直方向長さＴ１                              ：２ｍ
地面から塔頂までの高さ（気液接触塔の垂直高さ）Ｔ２    ：３．５ｍ
地面からスプレーノズル取付位置までの高さＴ３          ：３ｍ
地面から生物酸化槽の吸収液供給室外壁上端までの高さＴ４：５ｍ
地面から吸収液取出口までの高さＴ５                    ：３．５ｍ
地面から生物酸化槽の隔壁上端までの高さＴ６            ：４ｍ
【産業上の利用可能性】
【００４１】
汚泥処理施設等で発生するメタンガス等の脱硫設備として用いることができる。
【図面の簡単な説明】
【００４２】
【図１】本発明の一実施形態に係る脱硫設備の模式図である。
【符号の説明】
【００４３】
１      脱硫設備
２      気液接触塔
３      生物酸化槽（吸収液槽）
４      循環手段
２１    吸収室
２２    スプレーノズル（散水手段）
３１    吸収液供給室
３２    隔壁
３３    曝気室
４１    液供給路
４２    返送路
４５    送液ポンプ
【図１】
2007253046.tif 000003